(57)【要約】【課題】ＬＥＤ表示部と高解像度パネル表示部が持つ短所を相互に補完し、店舗の立地条件等に適合した運用を可能とする。【解決手段】店舗に設置され、当該店舗の宣伝情報を表示する店舗宣伝用デジタルサイネージ１Ａであって、背中合わせ状に配置されて、それぞれが異なる方向を向いて店舗の宣伝情報を表示する少なくとも二つの表示面１ａ、１ｂを一体的に備え、一方の表示面１ａは、多数のＬＥＤをマトリックス状に配置して、その発光制御に基づいて画像を発光表示するＬＥＤ表示部２で構成され、他方の表示面１ｂは、液晶ディスプレー、プラズマディスプレー等からなる高解像度表示パネルの表示制御に基づいて画像を表示する高解像度パネル表示部３で構成される。【選択図】図１
2012173545.tif 000002
【特許請求の範囲】
【請求項１】
店舗に設置され、当該店舗の宣伝情報を表示する店舗宣伝用デジタルサイネージであって、
背中合わせ状に配置されて、それぞれが異なる方向を向いて店舗の宣伝情報を表示する少なくとも二つの表示面を一体的に備え、
一方の表示面は、多数のＬＥＤをマトリックス状に配置して、その発光制御に基づいて画像を発光表示するＬＥＤ表示部で構成され、
他方の表示面は、液晶ディスプレー、プラズマディスプレー等からなる高解像度表示パネルの表示制御に基づいて画像を表示する高解像度パネル表示部で構成されることを特徴とする店舗宣伝用デジタルサイネージ。
【請求項２】
前記表示面の表示方向を手動又は自動で変更する表示方向変更手段を備えることを特徴とする請求項１記載の店舗宣伝用デジタルサイネージ。
【請求項３】
太陽光の照射方向を判断する照射方向判断手段と、
前記ＬＥＤ表示部からなる一方の表示面に太陽光が当たり、前記高解像度パネル表示部からなる他方の表示面に太陽光が当たらないように表示面の表示方向を自動的に変更する表示方向自動制御手段と、を備えることを特徴とする請求項２記載の店舗宣伝用デジタルサイネージ。
【請求項４】
前記ＬＥＤ表示部と前記高解像度パネル表示部との間に、当該高解像度パネル表示部への熱の伝導を遮断する断熱材を配置したことを特徴とする請求項１〜３のいずれか一項に記載の店舗宣伝用デジタルサイネージ。
【請求項５】
前記ＬＥＤ表示部の表示画像と、前記高解像度パネル表示部の表示画像と、音声発生部の発生音声とを同期させる表示・音声同期制御手段を備えることを特徴とする請求項１〜４のいずれか一項に記載の店舗宣伝用デジタルサイネージ。
【発明の詳細な説明】
【技術分野】
【０００１】
本発明は、店舗に設置され、当該店舗の宣伝情報を表示する店舗宣伝用デジタルサイネージに関する。
【背景技術】
【０００２】
店舗に設置され、当該店舗の宣伝情報を表示する店舗宣伝用デジタルサイネージが知られる。店舗宣伝用デジタルサイネージとしては、多数のＬＥＤ（発光ダイオード）をマトリックス状に配置して、その発光制御に基づいて画像（文字、静止画、動画等）を発光表示するＬＥＤ表示型デジタルサイネージが主流であったが、近年では、液晶ディスプレー、プラズマディスプレー等からなる高解像度表示パネルの表示制御に基づいて鮮明な画像を表示する高解像度パネル表示型デジタルサイネージも増えている（例えば、特許文献１参照）。
【先行技術文献】
【特許文献】
【０００３】
【特許文献１】特開２０１０−２８２１０９号公報
【発明の概要】
【発明が解決しようとする課題】
【０００４】
ＬＥＤ表示型デジタルサイネージは、多数のＬＥＤをマトリックス状に配置して、その発光制御に基づいて画像を表示するので、どうしても画像の解像度が粗くなるという短所を持っているが、同時に複数のＬＥＤが自発光するため、直射日光にも負けない高い輝度（５０００ｍｃｄ〜１００００ｍｃｄ以上）の画像表示が可能であり、且つ、高い耐熱性を持つという長所がある。
【０００５】
一方、液晶ディスプレー、プラズマディスプレー等の高解像度表示パネルは、鮮明な高解像度表示ができるという長所を持っているが、輝度がＬＥＤ表示機の約十分の一程度と低い（５００ｍｃｄ〜１５００ｍｃｄ程度）ため、屋外で使用するためには、直射日光を避けた運用をしなければならず、また、耐熱性が低いため、温度上昇に伴って黒化現象（ブラックアウト）を起こし、表示画面が見えなくなるという短所を持っている。
【０００６】
また、液晶ディスプレー、プラズマディスプレー等の高解像度表示パネルは、画面サイズが１５インチ〜１９インチ程度と小型のものは比較的耐熱性が高く、屋外での使用に耐え得るが、３２インチ、４６インチ等の大きさになると、極端に耐熱性能が低下するため、直射日光を避けた屋内使用、半屋外使用、日陰使用、軒先使用、日陰使用等の使用制限を余儀なくされるという問題があった。
【０００７】
近年、３２インチ程度以上の屋外型の液晶ディスプレー、プラズマディスプレーとしては、表示装置内の温度上昇を抑える対策として、表示装置内にエアコンを搭載した機種も知られているが、価格が高額になるだけでなく、製品重量が重くなり、表示装置の出し入れが困難を極めるという短所を持っている。
【０００８】
また、表示装置内の温度を低下させるために、強制換気装置（ファン等）を搭載した機種も知られているが、設置場所によっては、夏場における表示装置内の温度が５０度〜６０度を超えてしまうため、３２インチ程度以上の屋外型の液晶ディスプレーやプラズマディスプレーでは、表示装置内の温度上昇による黒化現象が発生して表示画面が見えなくなる現象が実際に起こっている。そして、黒化現象を繰り返すと、表示パネル自体の劣化につながり、製品寿命を短くしてしまうという問題がある。
【課題を解決するための手段】
【０００９】
本発明は、上記の如き実情に鑑みこれらの課題を解決することを目的として創作されたものであって、店舗に設置され、当該店舗の宣伝情報を表示する店舗宣伝用デジタルサイネージであって、背中合わせ状に配置されて、それぞれが異なる方向を向いて店舗の宣伝情報を表示する少なくとも二つの表示面を一体的に備え、一方の表示面は、多数のＬＥＤをマトリックス状に配置して、その発光制御に基づいて画像を発光表示するＬＥＤ表示部で構成され、他方の表示面は、液晶ディスプレー、プラズマディスプレー等からなる高解像度表示パネルの表示制御に基づいて画像を表示する高解像度パネル表示部で構成されることを特徴とする。
また、前記表示面の表示方向を手動又は自動で変更する表示方向変更手段を備えることを特徴とする。
また、太陽光の照射方向を判断する照射方向判断手段と、前記ＬＥＤ表示部からなる一方の表示面に太陽光が当たり、前記高解像度パネル表示部からなる他方の表示面に太陽光が当たらないように表示面の表示方向を自動的に変更する表示方向自動制御手段と、を備えることを特徴とする。
また、前記ＬＥＤ表示部と前記高解像度パネル表示部との間に、当該高解像度パネル表示部への熱の伝導を遮断する断熱材を配置したことを特徴とする。
また、前記ＬＥＤ表示部の表示画像と、前記高解像度パネル表示部の表示画像と、音声発生部の発生音声とを同期させる表示・音声同期制御手段を備えることを特徴とする。
【発明の効果】
【００１０】
請求項１の発明によれば、背中合わせ状に配置される二つの表示面のうち、一方の表示面をＬＥＤ表示部で構成し、他方の表示面を高解像度パネル表示部で構成したので、ＬＥＤ表示部と高解像度パネル表示部が持つ短所を相互に補完し、店舗の立地条件等に適合した運用が可能となる。例えば、強い西日が差し込む立地条件の店舗では、西日が差し込む方向にＬＥＤ表示部を向け、高解像度パネル表示部には西日が当たらないように店舗宣伝用デジタルサイネージを設置する。このようにすると、一方の表示面では、耐熱性が高く、かつ、輝度が高いＬＥＤ表示部によって西日にも負けない発光表示を行いつつ、他方の表示面では、高解像度パネル表示部によって鮮明な高解像度表示を行うことができ、その結果、効果的な宣伝表示ができるだけでなく、耐熱性に劣る高解像度パネル表示部の温度上昇を抑制することができる。
また、請求項２の発明によれば、表示面の表示方向を手動又は自動で変更する表示方向変更手段を備えるので、太陽光の照射方向の変化等に応じて表示面の表示方向を任意に変更することができる。
また、請求項３の発明によれば、太陽光の照射方向を判断する照射方向判断手段と、ＬＥＤ表示部からなる一方の表示面に太陽光が当たり、高解像度パネル表示部からなる他方の表示面に太陽光が当たらないように表示面の表示方向を自動的に変更する表示方向自動制御手段と、を備えるので、太陽光の照射方向の変化等に応じて表示面の表示方向を変更する手間を省くことができる。
また、請求項４の発明によれば、ＬＥＤ表示部と高解像度パネル表示部との間に、当該高解像度パネル表示部への熱の伝導を遮断する断熱材を配置したので、耐熱性に劣る高解像度パネル表示部の温度上昇を抑制し、表示面の黒化現象を起こし難くすることが可能となる。
また、請求項５の発明によれば、ＬＥＤ表示部の表示画像と、高解像度パネル表示部の表示画像と、音声発生部の発生音声とを同期させる表示・音声同期制御手段を備えるので、二つの表示面及び音声が連動した一体的な運用により、時間帯別プロモーション、曜日別プロモーション、年間催事別プロモーション等、店舗宣伝用デジタルサイネージの導入店舗にとって有用かつ効果的な宣伝活動を行うことが可能となる。
【図面の簡単な説明】
【００１１】
【図１】本発明の第一実施形態に係る店舗宣伝用デジタルサイネージの正面図である。
【図２】本発明の第一実施形態に係る店舗宣伝用デジタルサイネージの背面図である。
【図３】本発明の第一実施形態に係る店舗宣伝用デジタルサイネージの側面図である。
【図４】本発明の第一実施形態に係る店舗宣伝用デジタルサイネージの平面図である。
【図５】本発明の第二実施形態に係る店舗宣伝用デジタルサイネージの正面図である。
【図６】本発明の第二実施形態に係る店舗宣伝用デジタルサイネージの背面図である。
【図７】本発明の第三実施形態に係る店舗宣伝用デジタルサイネージの斜視図である。
【図８】本発明の第三実施形態に係る店舗宣伝用デジタルサイネージの斜視図である。
【図９】本発明の第三実施形態に係る店舗宣伝用デジタルサイネージの制御構成を示すブロック図である。
【図１０】本発明の第三実施形態に係る店舗宣伝用デジタルサイネージの制御手順を示すフローチャートである。
【発明を実施するための形態】
【００１２】
［第一実施形態］
以下、本発明の実施の形態について、図面に基づいて説明する。図１〜図４において、１Ａは本発明の第一実施形態に係る店舗宣伝用デジタルサイネージであって、該店舗宣伝用デジタルサイネージ１Ａは、店舗に設置され、当該店舗の宣伝情報を表示するためのものであり、二種類の表示部を備えている。
【００１３】
一方の表示部は、多数のＬＥＤをマトリックス状に配置して、その発光制御に基づいて画像を発光表示するＬＥＤ表示部２である。このＬＥＤ表示部２は、どうしても画像の解像度が粗くなるという短所を持っているが、同時に複数のＬＥＤが自発光するため、直射日光にも負けない高い輝度（５０００ｍｃｄ〜１００００ｍｃｄ以上）の画像表示が可能であり、且つ、高い耐熱性を持つという長所がある。
【００１４】
他方の表示部は、液晶ディスプレー、プラズマディスプレー等からなる高解像度表示パネルの表示制御に基づいて画像を表示する高解像度パネル表示部３である。この高解像度パネル表示部３は、鮮明な高解像度表示ができるという長所を持っているが、輝度がＬＥＤ表示部２の約十分の一程度と低い（５００ｍｃｄ〜１５００ｍｃｄ程度）ため、屋外で使用する場合は、直射日光を避けた運用をしなければならず、また、耐熱性が低いため、温度上昇に伴って黒化現象を起こし、表示画面が見えなくなるという短所を持っている。
【００１５】
本発明の実施形態に係る店舗宣伝用デジタルサイネージ１Ａは、各表示部２、３が持つ短所を相互に補完するために、まず、背中合わせ状に配置されて、それぞれが異なる方向を向いて店舗の宣伝情報を表示する少なくとも二つの表示面１ａ、１ｂを一体的に備える。一方の表示面１ａは、多数のＬＥＤをマトリックス状に配置して、その発光制御に基づいて画像を発光表示するＬＥＤ表示部２で構成し、他方の表示面１ｂは、液晶ディスプレー、プラズマディスプレー等からなる高解像度表示パネルの表示制御に基づいて画像を表示する高解像度パネル表示部３で構成する。
【００１６】
このようにすると、ＬＥＤ表示部２と高解像度パネル表示部３が持つ短所を相互に補完し、店舗の立地条件等に適合した運用が可能となる。例えば、強い西日が差し込む立地条件の店舗では、西日が差し込む方向にＬＥＤ表示部２を向け、高解像度パネル表示部３には西日が当たらないように店舗宣伝用デジタルサイネージ１Ａを設置する。これにより、一方の表示面１ａでは、耐熱性が高く、かつ、輝度が高いＬＥＤ表示部２によって西日にも負けない発光表示を行いつつ、他方の表示面１ｂでは、高解像度パネル表示部３によって鮮明な高解像度表示を行うことができ、その結果、効果的な宣伝表示ができるだけでなく、耐熱性に劣る高解像度パネル表示部３の温度上昇を抑制することができる。
【００１７】
図３及び図４に示すように、ＬＥＤ表示部２と高解像度パネル表示部３との間には、当該高解像度パネル表示部３への熱の伝導を遮断する断熱材４を配置することが好ましい。例えば、ウレタンフォーム等の発泡系断熱材やグラスウール等の繊維系断熱材をＬＥＤ表示部２と高解像度パネル表示部３との間に介在させる。このようにすると、耐熱性に劣る高解像度パネル表示部３の温度上昇を抑制し、表示面の黒化現象を起こし難くすることが可能となる。
【００１８】
［第二実施形態］
次に、本発明の第二実施形態に係る店舗宣伝用デジタルサイネージ１Ｂについて、図５及び図６を参照して説明する。
【００１９】
図５及び図６に示すように、本発明の第二実施形態に係る店舗宣伝用デジタルサイネージ１Ｂは、表示面１ａ、１ｂの表示方向を手動で変更する表示方向変更手段を備える点が前記実施形態と相違している。具体的には、店舗宣伝用デジタルサイネージ１Ｂの表示部本体１ｃを支える架台５と、該架台５の下面に配置される複数のキャスタ６とを備え、該キャスタ６の転動に基づいて表示面１ａ、１ｂの表示方向を手動で変更することができる。このようにすると、太陽光の照射方向の変化等に応じて表示面１ａ、１ｂの表示方向を任意に変更することが可能となる。
【００２０】
［第三実施形態］
次に、本発明の第三実施形態に係る店舗宣伝用デジタルサイネージ１Ｃについて、図７〜図１０を参照して説明する。
【００２１】
図７及び図８に示すように、本発明の第三実施形態に係る店舗宣伝用デジタルサイネージ１Ｃは、表示面１ａ、１ｂの表示方向を自動で変更する表示方向変更手段を備える点が前記実施形態と相違している。具体的には、店舗宣伝用デジタルサイネージ１Ｃの表示部本体１ｃから一体的に下方に延出される支軸７と、該支軸７が回転自在に挿通される支柱８と、該支柱８が一体的に立設される架台５と、支軸７の下端部に一体的に設けられる大径ギヤ９と、該大径ギヤ９に噛合するピニオンギヤ１０と、ピニオンギヤ１０を強制回転させる減速機構付きの電動モータ１１とを備え、該電動モータ１１の正逆駆動に基づいて表示面１ａ、１ｂの表示方向を自動で変更することができる。尚、架台５の下面には、前記実施形態と同様に、複数のキャスタ６が設けられるが、該キャスタ６は、表示方向の変更時ではなく、装置全体の移動時に使用される。
【００２２】
また、本発明の第三実施形態に係る店舗宣伝用デジタルサイネージ１Ｃは、太陽光の照射方向を判断する照射方向判断手段と、ＬＥＤ表示部２からなる一方の表示面１ａに太陽光が当たり、高解像度パネル表示部３からなる他方の表示面１ｂに太陽光が当たらないように表示面１ａ、１ｂの表示方向を自動的に変更する表示方向自動制御手段と、を備える。このようにすると、太陽光の照射方向の変化等に応じて表示面１ａ、１ｂの表示方向を変更する手間を省くことができる。
【００２３】
また、本発明の第三実施形態に係る店舗宣伝用デジタルサイネージ１Ｃは、ＬＥＤ表示部２の表示画像と、高解像度パネル表示部３の表示画像と、音声発生部１２の発生音声とを同期させる表示・音声同期制御手段を備える。このようにすると、二つの表示面１ａ、１ｂ及び音声が連動した一体的な運用により、時間帯別プロモーション、曜日別プロモーション、年間催事別プロモーション等、店舗宣伝用デジタルサイネージ１Ｃの導入店舗にとって有用かつ効果的な宣伝活動を行うことが可能となる。以下、照射方向判断手段、表示方向自動制御手段及び表示・音声同期制御手段の具体例について、図９及び図１０を参照して説明する。
【００２４】
図９に示すように、本発明の第三実施形態に係る店舗宣伝用デジタルサイネージ１Ｃは、マイクロコンピュータ等で構成される制御部１３を備える。制御部１３には、前述したＬＥＤ表示部２、高解像度パネル表示部３、電動モータ１１及び音声発生部１２に加え、表示面１ａの光量を検出する第一光センサ１４、表示面１ｂの光量を検出する第二光センサ１５、時間設定や時刻設定を行うタイマ１６、方位を検出する方位センサ１７、架台５に対する表示部本体１ｃの向き検出する角度センサ１８、表示データや制御プログラムを記憶する記憶部１９などが接続されており、これらの組合せによって、照射方向判断手段、表示方向自動制御手段及び表示・音声同期制御手段が構成される。例えば、照射方向判断手段は、第一光センサ１４が検出した光量と第二光センサ１５が検出した光量の比較に基づいて太陽光の照射方向を判断したり、方位センサ１７で検出した方位とタイマ１６から取得した時刻に基づいて太陽光の照射方向を判断することができる。
【００２５】
図１０に示すように、制御部１３は、ＬＥＤ表示部２の表示画像と、高解像度パネル表示部３の表示画像と、音声発生部１２の発生音声とを同期させる表示・音声同期制御（Ｓ１：表示・音声同期制御手段）を実行しながら、太陽光の照射方向を判断し（Ｓ２：照射方向判断手段）、該照射方向における表示部本体１ｃの適正な向きを演算する（Ｓ３：表示方向自動制御手段）。次に、演算した適正な向きと、角度センサ１８で検出した現在の向きとを比較し（Ｓ４：表示方向自動制御手段）、両者が一致する場合は、電動モータ１１を停止状態に維持する。一方、両者が一致しない場合は、両者が一致するように電動モータ１１を駆動制御する（Ｓ５：表示方向自動制御手段）。これにより、ＬＥＤ表示部２からなる一方の表示面１ａに太陽光が当たり、高解像度パネル表示部３からなる他方の表示面１ｂに太陽光が当たらないように表示面１ａ、１ｂの表示方向が自動的に変更される。
【符号の説明】
【００２６】
１Ａ  店舗宣伝用デジタルサイネージ
１Ｂ  店舗宣伝用デジタルサイネージ
１Ｃ  店舗宣伝用デジタルサイネージ
１ａ  表示面
１ｂ  表示面
１ｃ  表示部本体
２    ＬＥＤ表示部
３    高解像度パネル表示部
４    断熱材
５    架台
６    キャスタ
７    支軸
８    支柱
９    大径ギヤ
１０  ピニオンギヤ
１１  電動モータ
１２  音声発生部
１３  制御部
１４  第一光センサ
１５  第二光センサ
１６  タイマ
１７  方位センサ
１８  角度センサ
１９  記憶部
【図１】
2012173545.tif 000003
【図２】
2012173545.tif 000004
【図３】
2012173545.tif 000005
【図４】
2012173545.tif 000006
【図５】
2012173545.tif 000007
【図６】
2012173545.tif 000008
【図７】
2012173545.tif 000009
【図８】
2012173545.tif 000010
【図９】
2012173545.tif 000011
【図１０】
2012173545.tif 000012